(57)【要約】【課題】本発明は家庭用ハンガーを開示した。【解決手段】本体を含み、前記本体の下端面には旋転体がスライドできるように係合接続され、前記旋転体の中には上方に開口した左右対称の下旋転溝が設置され、前記旋転体の中には上方に開口した歯車溝が設置され、前記歯車溝の下端壁には連通チャンバが連通して設置され、前記歯車溝の下方には前記旋転体と回転できるように係合接続されるスプラインスリーブが設置され、前記スプラインスリーブの中には上方に開口したスプラインチャンバが設置され、前記スプラインチャンバが前記連通チャンバと連通され、本発明は構造が簡単で、操作が便利で、使わない時に物干しを収納して占用空間を減少でき、また本体によって前記物干しモジュールが日差しの方向の変わりに対応でき、服に射す光の角度を最適角度にさせ、しかも設備には紫外線ランプと通風ファンが備わり、除菌や服の乾燥スピードのアップに役立つ。【選択図】図１
2020171629.tif 000002
【特許請求の範囲】
【請求項１】
本体を含み、前記本体の下端面には旋転体がスライドできるように係合接続され、前記旋転体の中には上方に開口した左右対称の下旋転溝が設置され、前記旋転体の中には上方に開口した歯車溝が設置され、前記歯車溝の下端壁には連通チャンバが連通して設置され、前記歯車溝の下方には前記旋転体と回転できるように係合接続されるスプラインスリーブが設置され、前記スプラインスリーブの中には上方に開口したスプラインチャンバが設置され、前記スプラインチャンバが前記連通チャンバと連通され、前記スプラインスリーブの下端面には昇降機構が設置され、前記本体の中には下方に開口した左右対称の上旋転溝が設置され、前記上旋転溝の左右端壁の中には回転軸が回転できるように設置され、前記回転軸の外表面には前記上旋転溝の上端壁とスライドできるよう係合接続されるボールが固定的に設置され、前記ボールの下端面が前記下旋転溝の下端壁とスライドできるように係合接続され、前記本体の中にはシリンダチャンバが設置され、前記シリンダチャンバの上端壁の中にはシリンダが設置され、前記シリンダの出力ロッドの下端面には前記シリンダチャンバの端壁とスライドできるように係合接続される調節ブロックが固定的に設置され、前記調節ブロックの中には作動モータが設置され、前記作動モータの出力軸の外表面には旋転歯車が設置され、前記旋転歯車が前記歯車溝の中に挿入され、且つ前記歯車溝の端壁と噛み合って係合接続されることができ、前記作動モータの出力軸が回転できるように前記連通チャンバを貫通して前記スプラインチャンバの中に挿入されており、且つ前記スプラインチャンバの端壁とスプラインによって係合接続され、前記昇降機構の下方には物干しモジュールが接続され、前記物干しモジュールには物干しロッドを自動的に収納する機能が備わり、且つ感光センサが設置されることを特徴とする家庭用ハンガー。
【請求項２】
前記昇降機構は前記旋転体を含み、前記旋転体の中には下方に開口した伸縮チャンバが設置され、前記スプラインスリーブの下端面には前記伸縮チャンバの中に位置する伸縮歯車が固定的に設置され、前記伸縮歯車の下端面には扇形歯車が噛み合って設置され、前記旋転体の下端面の中には間隔と角度が同じ、且つ内方に開口した相通する三つの上チャンバが設置され、前記上チャンバの前後端壁の中には扇形歯車軸が回転できるように設置され、前記扇形歯車が前記扇形歯車軸の外表面に固定的に設けられ、前記扇形歯車のうち内方に向く端面には上接続リンクが固定的に設置され、前記上接続リンクの下端面には中接続リンクが回転できるように係合接続され、前記中接続リンクの下端面には下接続リンクが回転できるように係合接続され、前記下接続リンクの下端面には物干し本体が回転できるように係合接続され、前記中接続リンクの中間部分の中には中接続リンク軸が固定的に設置され、前記中接続リンク軸の外表面には枠接続ブロックが回転できるように係合接続され、前記枠接続ブロックの中には内外が相通した下チャンバが設置され、前記枠接続ブロックの下端面には枠が固定的に設置され、前記下チャンバの作用は前記中接続リンクが回転する時に前記枠接続ブロックからの邪魔を防止するためであり、前記枠の作用は昇降機構の安定性を増やし、前記伸縮歯車の回転により前記扇形歯車が前記扇形歯車軸の軸線の周りを回らさることを特徴とする請求項１に記載の家庭用ハンガー。
【請求項３】
前記物干しモジュールは前記物干し本体を含み、前記物干し本体の中には回転チャンバが設置され、前記回転チャンバの左側において前記物干し本体の中には下方に開口した収納チャンバが設置され、前記回転チャンバの左端壁の中には回転モータが設置され、前記回転モータの出力軸が前記収納チャンバの中に回転できるように挿入されて前記収納チャンバの左端壁と回転できるように係合接続され、前記回転モータの出力軸の外表面には前記回転チャンバの中に位置するクランクが固定的に設置され、前記クランクの後側には接続リンク右軸が回転できるように設置され、前記接続リンク右軸の外表面には前記クランクの右側に位置する接続リンクが回転できるように設置され、前記接続リンクの中には接続リンク左軸が回転できるように設置され、前記接続リンク左軸の外表面には前記接続リンクの左側に位置する接続枠リンクが回転できるように設置され、前記接続枠リンクの下端面には前記収納チャンバの中に挿入されて前記収納チャンバの左端壁と回転できるように係合接続される接続枠リンク軸が固定的に設置されることを特徴とする請求項１に記載の家庭用ハンガー。
【請求項４】
前記回転モータの出力軸と前記接続枠リンク軸の外表面には前記収納チャンバの中に位置する左右対称の移動ブロックが固定的に設置され、前記移動ブロックの中には前後が相通した歯車チャンバが設置され、前記移動ブロックの中には前記歯車チャンバと連通され、且つ内方に開口したネジ山チャンバが設置され、前記歯車チャンバの左右端壁の中には大歯車軸が回転できるように設置され、前記大歯車軸の外表面には前記収納チャンバの上端壁と噛み合って係合接続される大歯車が固定的に設置され、前記大歯車の後端面には小歯車が噛み合って設置され、前記小歯車の中には前記ネジ山チャンバの左右端壁と回転できるように係合接続される小歯車軸が固定的に設置され、前記小歯車軸の外表面には左右対称のネジ山ブロックがネジ山によって接続され、左右対称の前記ネジ山ブロックのネジ山の方向が逆であり、前記ネジ山ブロックの中には収納リンクが回転できるように係合接続され、交差した前記収納リンクの間が回転できるように係合接続され、前記収納リンクの後方には物干しロッドが設置され、前記物干しロッドの中には前記ネジ山チャンバに向いて開口したリミットリンクチャンバが設置され、前記リミットリンクチャンバの外表面には左右対称のリミットブロックがスライドできるように設置され、前記リミットブロックと前記収納リンクとが回転できるように係合接続され、二つの前記リミットブロックの間、及び前記リミットブロックと前記リミットリンクチャンバの端壁との間には、前記リミットリンクチャンバの中に位置するバネが設置され、バネの作用は前記リミットリンクチャンバを安定させ、前記リミットリンクチャンバが左右へスライドすることを防止し、前記物干しロッドの中には上下が相通したハンガー穴が設置され、前記ハンガー穴の中にハンガーを掛けることができ、前記収納チャンバの上端壁の中には紫外線ランプと通風ファンが設置され、前記紫外線ランプが紫外線を提供して除菌に役立ち、前記通風ファンから温かい風が吹き出されて服の乾燥スピードをアップさせることができることを特徴とする請求項３に記載の家庭用ハンガー。
【発明の詳細な説明】
【技術分野】
【０００１】
本発明は生活分野に関し、具体的には家庭用ハンガーに関する。
【背景技術】
【０００２】
手回し物干し自身には、構造が貧弱で、使用寿命が短く、メンテンナスが複雑であるという様々な欠点があり、日々発展してきた消費者の家具知能化需要に応じてくれられない。原始の物干しは、ただ縄又は鉄線一本と鋼管一本だけて構成されたものであり、その後、ナイロンザイルによって物干しの昇降を制御することになり、その次、ナイロンザイル式手回し物干しが発明され、１８００&#12316;１９００の時、物干しは次々と鋼線手回し式、電動物干しに進化して次第に市場を占めてきた。しかし、現在の市場では、日差しの移動とともに移動できる物干しがなく、限られている時間帯しか太陽の光に射されることができなく、服の乾燥や除菌には不利であり、また現在の物干しの殆どが収納しにくく、美観とも言えない。
【先行技術文献】
【特許文献】
【０００３】
【特許文献１】中国特許出願公開第１０８３８５３４５号明細書
【発明の概要】
【発明が解決しようとする課題】
【０００４】
本発明の目的は家庭用ハンガーを提供し、既存の技術にある上記の欠陥を補うことにある。
【課題を解決するための手段】
【０００５】
本発明の家庭用ハンガーは、本体を含み、前記本体の下端面には旋転体がスライドできるように係合接続され、前記旋転体の中には上方に開口した左右対称の下旋転溝が設置され、前記旋転体の中には上方に開口した歯車溝が設置され、前記歯車溝の下端壁には連通チャンバが連通して設置され、前記歯車溝の下方には前記旋転体と回転できるように係合接続されるスプラインスリーブが設置され、前記スプラインスリーブの中には上方に開口したスプラインチャンバが設置され、前記スプラインチャンバが前記連通チャンバと連通され、前記スプラインスリーブの下端面には昇降機構が設置され、前記本体の中には下方に開口した左右対称の上旋転溝が設置され、前記上旋転溝の左右端壁の中には回転軸が回転できるように設置され、前記回転軸の外表面には前記上旋転溝の上端壁とスライドできるよう係合接続されるボールが固定的に設置され、前記ボールの下端面が前記下旋転溝の下端壁とスライドできるように係合接続され、前記本体の中にはシリンダチャンバが設置され、前記シリンダチャンバの上端壁の中にはシリンダが設置され、前記シリンダの出力ロッドの下端面には前記シリンダチャンバの端壁とスライドできるように係合接続される調節ブロックが固定的に設置され、前記調節ブロックの中には作動モータが設置され、前記作動モータの出力軸の外表面には旋転歯車が設置され、前記旋転歯車が前記歯車溝の中に挿入され、且つ前記歯車溝の端壁と噛み合って係合接続されることができ、前記作動モータの出力軸が回転できるように前記連通チャンバを貫通して前記スプラインチャンバの中に挿入されており、且つ前記スプラインチャンバの端壁とスプラインによって係合接続され、前記昇降機構の下方には物干しモジュールが接続され、前記物干しモジュールには物干しロッドを自動的に収納する機能が備わり、且つ感光センサが設置される。
【０００６】
さらなる技術プラントして、前記昇降機構は前記旋転体を含み、前記旋転体の中には下方に開口した伸縮チャンバが設置され、前記スプラインスリーブの下端面には前記伸縮チャンバの中に位置する伸縮歯車が固定的に設置され、前記伸縮歯車の下端面には扇形歯車が噛み合って設置され、前記旋転体の下端面の中には間隔と角度が同じ、且つ内方に開口した相通する三つの上チャンバが設置され、前記上チャンバの前後端壁の中には扇形歯車軸が回転できるように設置され、前記扇形歯車が前記扇形歯車軸の外表面に固定的に設けられ、前記扇形歯車のうち内方に向く端面には上接続リンクが固定的に設置され、前記上接続リンクの下端面には中接続リンクが回転できるように係合接続され、前記中接続リンクの下端面には下接続リンクが回転できるように係合接続され、前記下接続リンクの下端面には物干し本体が回転できるように係合接続され、前記中接続リンクの中間部分の中には中接続リンク軸が固定的に設置され、前記中接続リンク軸の外表面には枠接続ブロックが回転できるように係合接続され、前記枠接続ブロックの中には内外が相通した下チャンバが設置され、前記枠接続ブロックの下端面には枠が固定的に設置され、前記下チャンバの作用は前記中接続リンクが回転する時に前記枠接続ブロックからの邪魔を防止するためであり、前記枠の作用は昇降機構の安定性を増やし、前記伸縮歯車の回転により前記扇形歯車が前記扇形歯車軸の軸線の周りを回らさる。
【０００７】
さらなる技術プラントして、前記物干しモジュールは前記物干し本体を含み、前記物干し本体の中には回転チャンバが設置され、前記回転チャンバの左側において前記物干し本体の中には下方に開口した収納チャンバが設置され、前記回転チャンバの左端壁の中には回転モータが設置され、前記回転モータの出力軸が前記収納チャンバの中に回転できるように挿入されて前記収納チャンバの左端壁と回転できるように係合接続され、前記回転モータの出力軸の外表面には前記回転チャンバの中に位置するクランクが固定的に設置され、前記クランクの後側には接続リンク右軸が回転できるように設置され、前記接続リンク右軸の外表面には前記クランクの右側に位置する接続リンクが回転できるように設置され、前記接続リンクの中には接続リンク左軸が回転できるように設置され、前記接続リンク左軸の外表面には前記接続リンクの左側に位置する接続枠リンクが回転できるように設置され、前記接続枠リンクの下端面には前記収納チャンバの中に挿入されて前記収納チャンバの左端壁と回転できるように係合接続される接続枠リンク軸が固定的に設置される。
【０００８】
さらなる技術プラントして、前記回転モータの出力軸と前記接続枠リンク軸の外表面には前記収納チャンバの中に位置する左右対称の移動ブロックが固定的に設置され、前記移動ブロックの中には前後が相通した歯車チャンバが設置され、前記移動ブロックの中には前記歯車チャンバと連通され、且つ内方に開口したネジ山チャンバが設置され、前記歯車チャンバの左右端壁の中には大歯車軸が回転できるように設置され、前記大歯車軸の外表面には前記収納チャンバの上端壁と噛み合って係合接続される大歯車が固定的に設置され、前記大歯車の後端面には小歯車が噛み合って設置され、前記小歯車の中には前記ネジ山チャンバの左右端壁と回転できるように係合接続される小歯車軸が固定的に設置され、前記小歯車軸の外表面には左右対称のネジ山ブロックがネジ山によって接続され、左右対称の前記ネジ山ブロックのネジ山の方向が逆であり、前記ネジ山ブロックの中には収納リンクが回転できるように係合接続され、交差した前記収納リンクの間が回転できるように係合接続され、前記収納リンクの後方には物干しロッドが設置され、前記物干しロッドの中には前記ネジ山チャンバに向いて開口したリミットリンクチャンバが設置され、前記リミットリンクチャンバの外表面には左右対称のリミットブロックがスライドできるように設置され、前記リミットブロックと前記収納リンクとが回転できるように係合接続され、二つの前記リミットブロックの間、及び前記リミットブロックと前記リミットリンクチャンバの端壁との間には、前記リミットリンクチャンバの中に位置するバネが設置され、バネの作用は前記リミットリンクチャンバを安定させ、前記リミットリンクチャンバが左右へスライドすることを防止し、前記物干しロッドの中には上下が相通したハンガー穴が設置され、前記ハンガー穴の中にハンガーを掛けることができ、前記収納チャンバの上端壁の中には紫外線ランプと通風ファンが設置され、前記紫外線ランプが紫外線を提供して除菌に役立ち、前記通風ファンから温かい風が吹き出されて服の乾燥スピードをアップさせることができる。
【発明の効果】
【０００９】
本発明の有益効果は：本発明は構造が簡単で、操作が便利で、使わない時に物干しを収納して占用空間を減少でき、また本体によって前記物干しモジュールが日差しの方向の変わりに対応でき、服に射す光の角度を最適角度にさせ、しかも設備には紫外線ランプと通風ファンが備わり、除菌や服の乾燥スピードのアップに役立つ。
【図面の簡単な説明】
【００１０】
【図１】図１は本発明の家庭用ハンガーの内部全体構造概略図である。
【図２】図２は図１のＡ−Ａ方向の構造概略図である。
【図３】図３は図２のＤ−Ｄ方向の構造概略図である。
【図４】図４は図１のＣ−Ｃ方向の構造概略図である。
【図５】図５は図１のＢ−Ｂ方向の構造概略図である。
【発明を実施するための形態】
【００１１】
下記に図１〜５を合わせて本発明について詳しく説明する。意思疎通の便利を図って、下記に記載の上下左右前後方向は図１の投影関係の上下左右前後方向と一致している。
【００１２】
図１&#12316;５を参照し、本発明の実施例の家庭用ハンガーは、本体３７を含み、前記本体３７の下端面には旋転体３０がスライドできるように係合接続され、前記旋転体３０の中には上方に開口した左右対称の下旋転溝３３が設置され、前記旋転体３０の中には上方に開口した歯車溝４４が設置され、前記歯車溝４４の下端壁には連通チャンバ６２が連通して設置され、前記歯車溝４４の下方には前記旋転体３０と回転できるように係合接続されるスプラインスリーブ３８が設置され、前記スプラインスリーブ３８の中には上方に開口したスプラインチャンバ３９が設置され、前記スプラインチャンバ３９が前記連通チャンバ６２と連通され、前記スプラインスリーブ３８の下端面には昇降機構が設置され、前記本体３７の中には下方に開口した左右対称の上旋転溝３６が設置され、前記上旋転溝３６の左右端壁の中には回転軸３４が回転できるように設置され、前記回転軸３４の外表面には前記上旋転溝３６の上端壁とスライドできるよう係合接続されるボール３５が固定的に設置され、前記ボール３５の下端面が前記下旋転溝３３の下端壁とスライドできるように係合接続され、前記本体３７の中にはシリンダチャンバ４０が設置され、前記シリンダチャンバ４０の上端壁の中にはシリンダ４１が設置され、前記シリンダ４１の出力ロッドの下端面には前記シリンダチャンバ４０の端壁とスライドできるように係合接続される調節ブロック６１が固定的に設置され、前記調節ブロック６１の中には作動モータ４２が設置され、前記作動モータ４２の出力軸の外表面には旋転歯車４３が設置され、前記旋転歯車４３が前記歯車溝４４の中に挿入され、且つ前記歯車溝４４の端壁と噛み合って係合接続されることができ、前記作動モータ４２の出力軸が回転できるように前記連通チャンバ６２を貫通して前記スプラインチャンバ３９の中に挿入されており、且つ前記スプラインチャンバ３９の端壁とスプラインによって係合接続され、前記昇降機構の下方には物干しモジュールが接続され、前記物干しモジュールには物干しロッドを自動的に収納する機能が備わり、且つ感光センサが設置される。
【００１３】
有益的には、その中に、前記昇降機構は前記旋転体３０を含み、前記旋転体３０の中には下方に開口した伸縮チャンバ３１が設置され、前記スプラインスリーブ３８の下端面には前記伸縮チャンバ３１の中に位置する伸縮歯車３２が固定的に設置され、前記伸縮歯車３２の下端面には扇形歯車５１が噛み合って設置され、前記旋転体３０の下端面の中には間隔と角度が同じ、且つ内方に開口した相通する三つの上チャンバ５４が設置され、前記上チャンバ５４の前後端壁の中には扇形歯車軸５２が回転できるように設置され、前記扇形歯車５１が前記扇形歯車軸５２の外表面に固定的に設けられ、前記扇形歯車５１のうち内方に向く端面には上接続リンク２９が固定的に設置され、前記上接続リンク２９の下端面には中接続リンク２８が回転できるように係合接続され、前記中接続リンク２８の下端面には下接続リンク２７が回転できるように係合接続され、前記下接続リンク２７の下端面には物干し本体１０が回転できるように係合接続され、前記中接続リンク２８の中間部分の中には中接続リンク軸５６が固定的に設置され、前記中接続リンク軸５６の外表面には枠接続ブロック５７が回転できるように係合接続され、前記枠接続ブロック５７の中には内外が相通した下チャンバ５８が設置され、前記枠接続ブロック５７の下端面には枠５５が固定的に設置され、前記下チャンバ５８の作用は前記中接続リンク２８が回転する時に前記枠接続ブロック５７からの邪魔を防止するためであり、前記枠５５の作用は昇降機構の安定性を増やし、前記伸縮歯車３２の回転により前記扇形歯車５１が前記扇形歯車軸５２の軸線の周りを回らさる。
【００１４】
有益的には、その中、前記物干しモジュールは前記物干し本体１０を含み、前記物干し本体１０の中には回転チャンバ１２が設置され、前記回転チャンバ１２の左側において前記物干し本体１０の中には下方に開口した収納チャンバ１３が設置され、前記回転チャンバ１２の左端壁の中には回転モータ１１が設置され、前記回転モータ１１の出力軸が前記収納チャンバ１３の中に回転できるように挿入されて前記収納チャンバ１３の左端壁と回転できるように係合接続され、前記回転モータ１１の出力軸の外表面には前記回転チャンバ１２の中に位置するクランク４５が固定的に設置され、前記クランク４５の後側には接続リンク右軸４６が回転できるように設置され、前記接続リンク右軸４６の外表面には前記クランク４５の右側に位置する接続リンク４７が回転できるように設置され、前記接続リンク４７の中には接続リンク左軸５０が回転できるように設置され、前記接続リンク左軸５０の外表面には前記接続リンク４７の左側に位置する接続枠リンク４８が回転できるように設置され、前記接続枠リンク４８の下端面には前記収納チャンバ１３の中に挿入されて前記収納チャンバ１３の左端壁と回転できるように係合接続される接続枠リンク軸４９が固定的に設置される。
【００１５】
有益的には、その中、前記回転モータ１１の出力軸と前記接続枠リンク軸４９の外表面には前記収納チャンバ１３の中に位置する左右対称の移動ブロック２３が固定的に設置され、前記移動ブロック２３の中には前後が相通した歯車チャンバ２４が設置され、前記移動ブロック２３の中には前記歯車チャンバ２４と連通され、且つ内方に開口したネジ山チャンバ６３が設置され、前記歯車チャンバ２４の左右端壁の中には大歯車軸２５が回転できるように設置され、前記大歯車軸２５の外表面には前記収納チャンバ１３の上端壁と噛み合って係合接続される大歯車２６が固定的に設置され、前記大歯車２６の後端面には小歯車２０が噛み合って設置され、前記小歯車２０の中には前記ネジ山チャンバ６３の左右端壁と回転できるように係合接続される小歯車軸２２が固定的に設置され、前記小歯車軸２２の外表面には左右対称のネジ山ブロック２１がネジ山によって接続され、左右対称の前記ネジ山ブロック２１のネジ山の方向が逆であり、前記ネジ山ブロック２１の中には収納リンク１９が回転できるように係合接続され、交差した前記収納リンク１９の間が回転できるように係合接続され、前記収納リンク１９の後方には物干しロッド１４が設置され、前記物干しロッド１４の中には前記ネジ山チャンバ６３に向いて開口したリミットリンクチャンバ１６が設置され、前記リミットリンクチャンバ１６の外表面には左右対称のリミットブロック１８がスライドできるように設置され、前記リミットブロック１８と前記収納リンク１９とが回転できるように係合接続され、二つの前記リミットブロック１８の間、及び前記リミットブロック１８と前記リミットリンクチャンバ１６の端壁との間には、前記リミットリンクチャンバ１６の中に位置するバネが設置され、バネの作用は前記リミットリンクチャンバ１６を安定させ、前記リミットリンクチャンバ１６が左右へスライドすることを防止し、前記物干しロッド１４の中には上下が相通したハンガー穴１５が設置され、前記ハンガー穴１５の中にハンガーを掛けることができ、前記収納チャンバ１３の上端壁の中には紫外線ランプ５９と通風ファン６０が設置され、前記紫外線ランプ５９が紫外線を提供して除菌に役立ち、前記通風ファン６０から温かい風が吹き出されて服の乾燥スピードをアップさせることができる。
【００１６】
初期状態にある時、前記シリンダ４１と、前記作動モータ４２と前記回転モータ１１とが非作動状態にあり、前記昇降機構が下げられなく、前記移動ブロック２３が収納されている状態にあり、前記旋転歯車４３がまだ前記歯車溝４４の中に挿入されておらず噛み合って係合接続されていない。
【００１７】
装置が作動すると、まず前記作動モータ４２が作動して前記スプラインスリーブ３８を回転させ、前記伸縮歯車３２と前記扇形歯車５１とが噛み合って係合接続されているから、前記スプラインスリーブ３８の回転によって前記伸縮歯車３２が回転し、これにより前記扇形歯車５１が回転し、これにより前記上接続リンク２９が前記扇形歯車軸５２の軸線を巡って前記伸縮歯車３２の中心から離れる方向に回転し、前記上接続リンク２９と前記中接続リンク２８とが回転できるように係合接続されており、前記中接続リンク２８と前記下接続リンク２７とも回転できるように係合接続されているから、前記上接続リンク２９の回転により前記昇降機構が広がり、前記物干し本体１０が下へ移動し、この時前記回転モータ１１が作動し始め、これにより前記クランク４５が前記回転モータ１１の出力軸を巡って反時計回りに回転し、前記接続リンク右軸４６と前記クランク４５、及び前記接続リンク右軸４６と前記接続リンク４７が回転できるように係合接続されており、前記接続リンク左軸５０と前記接続リンク４７、及び前記接続リンク左軸５０と前記接続枠リンク４８とも回転できるように係合接続されているから、前記クランク４５と、接続リンク４７と前記接続枠リンク４８とが四節リンク機構を構成し、最終に前記クランク４５の回転により前記接続枠リンク４８が前記接続枠リンク軸４９の軸線を巡って回転し始め、これにより前記移動ブロック２３が前記収納チャンバ１３の上端壁に対して相対的に回転し、前記大歯車２６と前記収納チャンバ１３の端壁とが噛み合って係合接続されているから、前記移動ブロック２３が前記収納チャンバ１３の上端壁に対して相対的に回転し始める時、前記大歯車２６が回転し、これにより前記小歯車２０が回転し、前記小歯車軸２２と前記ネジ山ブロック２１とがネジ山によって係合接続されているから、前記小歯車２０の回転により前記小歯車軸２２が回転して両側の前記ネジ山ブロック２１を中心に近づかせ、前記収納リンク１９が前記ネジ山ブロック２１と回転できるように係合接続されており、前記収納リンク１９と前記リミットブロック１８とが回転できるように係合接続されており、前記リミットブロック１８と前記リミットリンク１７とがスライドできるように係合接続されているから、前記ネジ山ブロック２１が中心へ近づき、これにより前記物干しロッド１４が下へ移動し、前記回転モータ１１が作動すると前記物干しロッドが解放され、この時に人間によって服を物干しロッドの中に掛け、前記昇降機構を復帰させて物干しを始め、太陽方向のチェンジに従い、前記物干しモジュールの中の感光センサが信号を前記シリンダ４１と前記作動モータ４２に発送し、前記シリンダ４１の出力ロッドが伸長し、これにより前記旋転歯車４３が前記歯車溝４４の中に挿入されて前記歯車溝４４の端壁と噛み合って係合接続され、この時前記作動モータ４２が作動して前記旋転体３０を回転させ、これにより前記物干しモジュールの角度を調整して服に射す光の角度を最適角度にさせ、その中前記紫外線ランプ５９が紫外線を提供して除菌に役立ち、前記通風ファン６０から温かい風が吹き出されて服の乾燥スピードをアップさせ、服が仕舞われた後、前記回転モータ１１が継続して作動して物干しロッドが収納され、占用空間を縮める。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171629.tif 000003
【図２】
2020171629.tif 000004
【図３】
2020171629.tif 000005
【図４】
2020171629.tif 000006
【図５】
2020171629.tif 000007
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
本体を含み、前記本体の下端面には旋転体がスライドできるように係合接続され、前記旋転体の中には上方に開口した左右対称の下旋転溝が設置され、前記旋転体の中には上方に開口した歯車溝が設置され、前記歯車溝の下端壁には連通チャンバが連通して設置され、前記歯車溝の下方には前記旋転体と回転できるように係合接続されるスプラインスリーブが設置され、前記スプラインスリーブの中には上方に開口したスプラインチャンバが設置され、前記スプラインチャンバが前記連通チャンバと連通され、前記スプラインスリーブの下端面には昇降機構が設置され、前記本体の中には下方に開口した左右対称の上旋転溝が設置され、前記上旋転溝の左右端壁の中には回転軸が回転できるように設置され、前記回転軸の外表面には前記上旋転溝の上端壁とスライドできるよう係合接続されるボールが固定的に設置され、前記ボールの下端面が前記下旋転溝の下端壁とスライドできるように係合接続され、前記本体の中にはシリンダチャンバが設置され、前記シリンダチャンバの上端壁の中にはシリンダが設置され、前記シリンダの出力ロッドの下端面には前記シリンダチャンバの端壁とスライドできるように係合接続される調節ブロックが固定的に設置され、前記調節ブロックの中には作動モータが設置され、前記作動モータの出力軸の外表面には旋転歯車が設置され、前記旋転歯車が前記歯車溝の中に挿入され、且つ前記歯車溝の端壁と噛み合って係合接続されることができ、前記作動モータの出力軸が回転できるように前記連通チャンバを貫通して前記スプラインチャンバの中に挿入されており、且つ前記スプラインチャンバの端壁とスプラインによって係合接続され、前記昇降機構の下方には物干しモジュールが接続され、前記物干しモジュールには物干しロッドを自動的に収納する機能が備わり、且つ感光センサが設置され、
前記昇降機構は前記旋転体を含み、前記旋転体の中には下方に開口した伸縮チャンバが設置され、前記スプラインスリーブの下端面には前記伸縮チャンバの中に位置する伸縮歯車が固定的に設置され、前記伸縮歯車の下端面には扇形歯車が噛み合って設置され、前記旋転体の下端面の中には間隔と角度が同じ、且つ内方に開口した相通する三つの上チャンバが設置され、前記上チャンバの前後端壁の中には扇形歯車軸が回転できるように設置され、前記扇形歯車が前記扇形歯車軸の外表面に固定的に設けられ、前記扇形歯車のうち内方に向く端面には上接続リンクが固定的に設置され、前記上接続リンクの下端面には中接続リンクが回転できるように係合接続され、前記中接続リンクの下端面には下接続リンクが回転できるように係合接続され、前記下接続リンクの下端面には物干し本体が回転できるように係合接続され、前記中接続リンクの中間部分の中には中接続リンク軸が固定的に設置され、前記中接続リンク軸の外表面には枠接続ブロックが回転できるように係合接続され、前記枠接続ブロックの中には内外が相通した下チャンバが設置され、前記枠接続ブロックの下端面には枠が固定的に設置され、前記下チャンバの作用は前記中接続リンクが回転する時に前記枠接続ブロックからの邪魔を防止するためであり、前記枠の作用は昇降機構の安定性を増やし、前記伸縮歯車の回転により前記扇形歯車が前記扇形歯車軸の軸線の周りを回らさることができ、
前記物干しモジュールは前記物干し本体を含み、前記物干し本体の中には回転チャンバが設置され、前記回転チャンバの左側において前記物干し本体の中には下方に開口した収納チャンバが設置され、前記回転チャンバの左端壁の中には回転モータが設置され、前記回転モータの出力軸が前記収納チャンバの中に回転できるように挿入されて前記収納チャンバの左端壁と回転できるように係合接続され、前記回転モータの出力軸の外表面には前記回転チャンバの中に位置するクランクが固定的に設置され、前記クランクの後側には接続リンク右軸が回転できるように設置され、前記接続リンク右軸の外表面には前記クランクの右側に位置する接続リンクが回転できるように設置され、前記接続リンクの中には接続リンク左軸が回転できるように設置され、前記接続リンク左軸の外表面には前記接続リンクの左側に位置する接続枠リンクが回転できるように設置され、前記接続枠リンクの下端面には前記収納チャンバの中に挿入されて前記収納チャンバの左端壁と回転できるように係合接続される接続枠リンク軸が固定的に設置され、
前記回転モータの出力軸と前記接続枠リンク軸の外表面には前記収納チャンバの中に位置する左右対称の移動ブロックが固定的に設置され、前記移動ブロックの中には前後が相通した歯車チャンバが設置され、前記移動ブロックの中には前記歯車チャンバと連通され、且つ内方に開口したネジ山チャンバが設置され、前記歯車チャンバの左右端壁の中には大歯車軸が回転できるように設置され、前記大歯車軸の外表面には前記収納チャンバの上端壁と噛み合って係合接続される大歯車が固定的に設置され、前記大歯車の後端面には小歯車が噛み合って設置され、前記小歯車の中には前記ネジ山チャンバの左右端壁と回転できるように係合接続される小歯車軸が固定的に設置され、前記小歯車軸の外表面には左右対称のネジ山ブロックがネジ山によって接続され、左右対称の前記ネジ山ブロックのネジ山の方向が逆であり、前記ネジ山ブロックの中には収納リンクが回転できるように係合接続され、交差した前記収納リンクの間が回転できるように係合接続され、前記収納リンクの後方には物干しロッドが設置され、前記物干しロッドの中には前記ネジ山チャンバに向いて開口したリミットリンクチャンバが設置され、前記リミットリンクチャンバの外表面には左右対称のリミットブロックがスライドできるように設置され、前記リミットブロックと前記収納リンクとが回転できるように係合接続され、二つの前記リミットブロックの間、及び前記リミットブロックと前記リミットリンクチャンバの端壁との間には、前記リミットリンクチャンバの中に位置するバネが設置され、バネの作用は前記リミットリンクチャンバを安定させ、前記リミットリンクチャンバが左右へスライドすることを防止し、前記物干しロッドの中には上下が相通したハンガー穴が設置され、前記ハンガー穴の中にハンガーを掛けることができ、前記収納チャンバの上端壁の中には紫外線ランプと通風ファンが設置され、前記紫外線ランプが紫外線を提供して除菌に役立ち、前記通風ファンから温かい風が吹き出されて服の乾燥スピードをアップさせることができ、
本願発明のハンガーが作動すると、まず前記作動モータが作動して前記スプラインスリーブを回転させ、前記伸縮歯車と前記扇形歯車とが噛み合って係合接続されているから、前記スプラインスリーブの回転によって前記伸縮歯車が回転し、これにより前記扇形歯車が回転し、これにより前記上接続リンクが前記扇形歯車軸の軸線を巡って前記伸縮歯車の中心から離れる方向に回転し、前記上接続リンクと前記中接続リンクとが回転できるように係合接続されており、前記中接続リンクと前記下接続リンクとも回転できるように係合接続されているから、前記上接続リンクの回転により前記昇降機構が広がり、前記物干し本体が下へ移動し、この時前記回転モータが作動し始め、これにより前記クランクが前記回転モータの出力軸を巡って反時計回りに回転し、前記接続リンク右軸と前記クランク、及び前記接続リンク右軸と前記接続リンクが回転できるように係合接続されており、前記接続リンク左軸と前記接続リンク、及び前記接続リンク左軸と前記接続枠リンクとも回転できるように係合接続されているから、前記クランクと、接続リンクと前記接続枠リンクとが四節リンク機構を構成し、最終に前記クランクの回転により前記接続枠リンクが前記接続枠リンク軸の軸線を巡って回転し始め、これにより前記移動ブロックが前記収納チャンバの上端壁に対して相対的に回転し、前記大歯車と前記収納チャンバの端壁とが噛み合って係合接続されているから、前記移動ブロックが前記収納チャンバの上端壁に対して相対的に回転し始める時、前記大歯車が回転し、これにより前記小歯車が回転し、前記小歯車軸と前記ネジ山ブロックとがネジ山によって係合接続されているから、前記小歯車の回転により前記小歯車軸が回転して両側の前記ネジ山ブロックを中心に近づかせ、前記収納リンクが前記ネジ山ブロックと回転できるように係合接続されており、前記収納リンクと前記リミットブロックとが回転できるように係合接続されており、前記リミットブロックと前記リミットリンクとがスライドできるように係合接続されているから、前記ネジ山ブロックが中心へ近づき、これにより前記物干しロッドが下へ移動し、前記回転モータが作動すると前記物干しロッドが解放され、この時に人間によって服を物干しロッドの中に掛け、前記昇降機構を復帰させて物干しを始め、太陽方向のチェンジに従い、前記物干しモジュールの中の感光センサが信号を前記シリンダと前記作動モータに発送し、前記シリンダの出力ロッドが伸長し、これにより前記旋転歯車が前記歯車溝の中に挿入されて前記歯車溝の端壁と噛み合って係合接続され、この時前記作動モータが作動して前記旋転体を回転させ、これにより前記物干しモジュールの角度を調整して服に射す光の角度を最適角度にさせ、その中前記紫外線ランプが紫外線を提供して除菌に役立ち、前記通風ファンから温かい風が吹き出されて服の乾燥スピードをアップさせ、服が仕舞われた後、前記回転モータが継続して作動して物干しロッドが収納され、占用空間を縮めることを特徴とする家庭用ハンガー。